(57)【特許請求の範囲】
【請求項１】
（ａ）光ディスク(12)に記録されている楽曲がカラオケ楽曲であるか否かを、各楽曲の楽曲名情報として前記光ディスク(12)に記録されているデータに基づいて検出するカラオケ楽曲検出手段、及び
（ｂ）前記カラオケ楽曲検出手段の検出に基づいてカラオケ楽曲をスキップして光ディスク(12)内の楽曲を再生する楽曲再生手段、
を有していることを特徴とする光ディスク再生装置。
【請求項２】
前記カラオケ楽曲検出手段は、楽曲の楽曲名情報としてのデータに「カラオケ」又はその類義語が含まれているとき、その楽曲をカラオケ楽曲と判定することを特徴とする請求項１記載の光ディスク再生装置。
【請求項３】
前記カラオケ楽曲検出手段は、楽曲の楽曲名情報として同一の光ディスク(12)から読み込んだ複数個の文字列データについて、或る文字列データが先頭文字列部分とそれに後続する後尾文字列部分から成り、かつ前記先頭文字列部分が、他の文字列データの文字列全体と一致しているものである場合は、前記或る文字列データに係る楽曲をカラオケ楽曲と判定することを特徴とする請求項１記載の光ディスク再生装置。
【請求項４】
光ディスク(12)に楽曲の楽曲名情報として記録されているデータに、「カラオケ」又はその類義語が含まれているとき、その楽曲をカラオケ楽曲と判定することを特徴とするカラオケ楽曲検出装置。
【請求項５】
楽曲の楽曲名情報として同一の光ディスク(12)から読み込んだ複数個の文字列データについて、或る文字列データが先頭文字列部分とそれに後続する後尾文字列部分から成り、かつ前記先頭文字列部分が、他の文字列データの文字列全体と一致しているものである場合は、前記或る文字列データに係る楽曲をカラオケ楽曲と判定することを特徴とするカラオケ楽曲検出装置。
【発明の詳細な説明】
【０００１】
【発明の属する技術分野】
この発明は、ＣＤ（コンパクトディスク）やＭＤ（ミニディスク）等の光ディスクの再生装置及びカラオケ楽曲検出装置に関するものである。
【０００２】
【従来の技術】
ＣＤの新規格としてのＣＤ−ＴＥＸＴ規格では、これまでの楽曲番号（トラック番号）及び再生時間情報の他に、楽曲名やジャンル情報も記録できるようになっている。一方、通常の８ｃｍφのＣＤでは、声楽曲と共にそのカラオケ楽曲が記録されている。
【０００３】
【発明が解決しようとする課題】
この発明の目的は、多連装ＣＤプレーヤ等の光ディスク再生装置において、カラオケ楽曲を飛ばして、声楽曲のみを連続して、再生できるようにすることである。
【０００４】
さらに、現在のＣＤ−ＴＥＸＴ規格では、カラオケがジャンルとして含まれておらず、ＣＤ−ＴＥＸＴ規格のジャンル情報より各楽曲がカラオケであるか否かを検出することができない。この発明の目的は、光ディスクに記録されている各楽曲がカラオケ楽曲であるか否かを判定できるカラオケ楽曲検出装置を提供することである。
【０００５】
【課題を解決するための手段】
この発明の光ディスク再生装置（１０）は次の（ａ）及び（ｂ）を有している。
（ａ）光ディスク（１２）に記録されている楽曲がカラオケ楽曲であるか否かを検出するカラオケ楽曲検出手段
（ｂ）カラオケ楽曲検出手段の検出に基づいてカラオケ楽曲をスキップして光ディスク（１２）内の楽曲を再生する楽曲再生手段
【０００６】
これにより、特に多連装ＣＤプレーヤ等の光ディスク再生装置（１０）のユーザは、カラオケ楽曲を飛ばして、声楽曲のみを連続して、再生することができる。
【０００７】
なお、光ディスク再生装置（１０）には、ＣＤプレーヤ及びＭＤプレーヤ等を含み、さらに、これらの多連装のものも含む。
【０００８】
この発明の光ディスク再生装置（１０）によれば、カラオケ楽曲検出手段は、各楽曲の楽曲名情報として光ディスク（１２）に記録されているデータに基づいて検出を行なう。
【０００９】
ＣＤやＭＤ等の光ディスク（１２）では、ＣＤ−ＴＥＸＴ規格の楽曲名情報のデータに「（カラオケ）」等の語句を含ませて、楽曲がカラオケであることを示すことができる。したがって、楽曲の楽曲名情報として光ディスク（１２）に記録されているデータに基づいて、その楽曲がカラオケ楽曲か声楽曲かを判定することができる。
【００１０】
この発明の光ディスク再生装置（１０）によれば、カラオケ楽曲検出手段は、楽曲の楽曲名情報としてのデータに「カラオケ」又はその類義語が含まれているとき、その楽曲をカラオケ楽曲と判定する。
【００１１】
「カラオケ」の類義語には、「ＫＡＲＡＯＫＥ」、「ＫＡ・ＲＡ・Ｏ・ＫＥ」「Ｋａｒａｏｋｅ」等、カラオケの概念に含まれるすべての語句を含むものとする。また、ＣＤ−ＴＥＸＴ規格の楽曲名情報として光ディスク（１２）に記録されているデータには、「ｉｎｓｔｒｕｍｅｎｔａｌ」や「インストルメンタル」が付加的に記載がされているものもあり、それは、ボーカルのない音楽であることを意味するので、「ｉｎｓｔｒｕｍｅｎｔａｌ」や「インストルメンタル」やその類義語も「カラオケ」の類義語に含めることもできる。
【００１２】
この発明の光ディスク再生装置（１０）によれば、カラオケ楽曲検出手段は、楽曲の楽曲名情報として同一の光ディスク（１２）から読み込んだ複数個の文字列データについて、或る文字列データが先頭文字列部分とそれに後続する後尾文字列部分から成り、かつ先頭文字列部分が、他の文字列データの文字列全体と一致しているものである場合は、或る文字列データに係る楽曲をカラオケ楽曲と判定する。
【００１３】
例えば、８ｃｍφのＣＤでは、声楽曲と共にそのカラオケ楽曲が記録されており、カラオケ楽曲の楽曲名には、声楽曲の楽曲名の後に「（カラオケ）」等の語句を付加するのが通常と認められる。したがって、或る文字列データの先頭文字列部分が、他の文字列データの文字列全体と一致しているものである場合は、その或る文字列データに係る楽曲はカラオケ楽曲と判定することができる。
【００１４】
この発明のカラオケ楽曲検出装置は、光ディスク（１２）に楽曲の楽曲名情報として記録されているデータに、「カラオケ」又はその類義語が含まれているとき、その楽曲をカラオケ楽曲と判定する。
【００１５】
この発明のカラオケ楽曲検出装置は、楽曲の楽曲名情報として同一の光ディスク（１２）から読み込んだ複数個の文字列データについて、或る文字列データが先頭文字列部分とそれに後続する後尾文字列部分から成り、かつ先頭文字列部分が、他の文字列データの文字列全体と一致しているものである場合は、或る文字列データに係る楽曲をカラオケ楽曲と判定する。
【００１６】
【発明の実施の形態】
以下、発明の実施の形態について図面を参照して説明する。
図２は多連装ＣＤプレーヤ１０の主要部のブロック図である。多連装ＣＤプレーヤ１０は、複数個のＣＤ１２を装填され、その内の選択された１個のＣＤ１２がローディング装置（図示せず）により光学ピックアップ及びメカ部１１にセットされる。光学ピックアップ及びメカ部１１は、ＣＤ１２を回転させるスピンドルモータを含み、ＣＤ１２のトラックにレーザ光１３を照射し、その反射光よりＣＤ１２の記録データを読み取るようになっている。システムコントローラ１６は、専用のメモリ１７を備え、所定のデータを表示装置１８に表示するとともに、入力装置１９を介してユーザからの選曲、再生、停止等の指示を入力されるようになっている。サーボ処理ＩＣ２４は、レーザ光１３のスポットがＣＤ１２の所定のトラックに形成されるように、光学ピックアップ及びメカ部１１の対物レンズのサーボ制御を実行する。信号処理ＩＣ２５は、ＣＤ１２からのレーザ光１３の反射光を介して読み取った音声データを復号し、復号された音声データは、ＤＡＣ２６によりディジタル−アナログ変換されてから、スピーカ等へオーディオ出力される。ＣＤ−ＴＥＸＴデコードＩＣ２７は、レーザ光１３を介してＣＤ１２から読み取ったデータの内、ＣＤ−ＴＥＸＴ規格に係るデータを復号する。システムコントローラ１６は、光学ピックアップ及びメカ部１１、サーボ処理ＩＣ２４、信号処理ＩＣ２５、及びＣＤ−ＴＥＸＴデコードＩＣ２７とデータをやり取りし、種々の機能及び処理を実行する。
【００１７】
図３はＣＤ−ＴＥＸＴ規格に定義されているジャンルコードが表わすジャンル名を示している。現在のＣＤ−ＴＥＸＴ規格のジャンルコードには、カラオケは存在せず、また、ディスクごとのジャンルコードであり、楽曲ごとにはジャンル指定されないため、ジャンルコードを検索して、各楽曲がカラオケ楽曲であるか否かを検出することは困難となっている。
【００１８】
図４はＣＤにＣＤ−ＴＥＸＴ規格により記録されている楽曲名を例示している。この８ｃｍφのＣＤでは、トラックが４個存在し、トラック番号０１，０２の楽曲が声楽曲とされ、トラック番号０３，０４の楽曲は、それぞれトラック番号０１，０２のカラオケ楽曲とされている。そして、トラック番号０３，０４のＣＤ−ＴＥＸＴ情報の１つとしての楽曲名は、トラック番号０１，０２の楽曲名の後に「（カラオケ）」を付け足して、トラック番号０１，０２の各声楽曲と区別できるようにしている。
【００１９】
図５はＭＤにＣＤ−ＴＥＸＴ規格により記録されている楽曲名を例示している。ＣＤからＭＤへのダビングの際には、ＣＤのＣＤ−ＴＥＸＴ規格の各情報もＭＤにコピーされるようになっており、ＣＤの楽曲名情報はそのまま、ＭＤの楽曲名情報となる。このＭＤでは、ＣＤからのダビングにより、トラック番号００１，００２の楽曲が声楽曲とされ、トラック番号００３の楽曲は、トラック番号００１のカラオケ楽曲となっている。そして、トラック番号００３のＣＤ−ＴＥＸＴ情報の１つとしての楽曲名は、トラック番号００１の楽曲名の後に「（ＫＡＲＡＯＫＥ）」を付け足して、トラック番号００１の声楽曲と区別できるようにしている。また、ＭＤでは、ユーザは、自由な編集により楽曲名を書込み自在となっており、カラオケ楽曲については、ユーザが楽曲名の後に続けて「（ＫＡＲＡＯＫＥ）」や「（カラオケ）」等、カラオケの概念に含まれる語句を適宜、曲の名前の後に付け足し自在になっている。
【００２０】
図１はカラオケ楽曲の検出ルーチンのフローチャートである。Ｓ５０では、メモリ内のディスク情報を初期化（リセット）する。Ｓ５１では、ＣＤ１２のＴＯＣ（Ｔａｂｌｅ  Ｏｆ  ＣｏｎｔｅｎｔＳ）を全部読み込む。Ｓ５２では、このＣＤ１２がＣＤ−ＴＥＸＴを含むディスクであるか否かを判定し、判定がＹＥＳであれば、Ｓ５３へ、ＮＯであれば、該ルーチンを終了する。Ｓ５３では、そのＣＤ１２のＣＤ−ＴＥＸＴ情報を全部読み込み、Ｓ５４では、変数ｔｎｏに最小トラック番号（＝１）を代入する。Ｓ５５では、トラック番号ｔｎｏに係るＣＤ−ＴＥＸＴの楽曲名に「カラオケ」又はそれの類義語が含まれているか否かを判定し、判定がＹＥＳの場合は、Ｓ５６へ進み、ＮＯの場合は、Ｓ５６をスキップして、Ｓ５７へ進む。「カラオケ」の類義語には、ローマ字表示の「ＫＡＲＡＯＫＥ」、その他、バリエーションの「ＫＡ・ＲＡ・Ｏ・ＫＥ」、「Ｋａｒａｏｋｅ」等、カラオケの概念に含まれる全ての表記を含ませることにする。さらに、「Ｉｎｓｔｒｕｍｅｎｔａｌ」や「インストルメンタル」は、ボーカルのないメロディーだけのものを意味しているので、これら及びその類義語もカラオケの概念に含ませてもよい。Ｓ５６では、トラック番号ｔｎｏの楽曲をカラオケ楽曲と判定する。Ｓ５７では、ｔｎｏを１だけインクリメントする。Ｓ５８では、ｔｎｏがこのＣＤ１２の最大トラック番号より大きいか否かを判定し、判定がＹＥＳの場合は、該ルーチンを終了し、ＮＯの場合は、Ｓ５５へ戻る。
【００２１】
図１のフローチャートでは、ＣＤ−ＴＥＸＴ規格の楽曲名情報としてＣＤ１２に記録されているデータにカラオケの概念に相当する語句が含まれている否かにより、カラオケ楽曲であるか否かを判定した。これに対して、図４及び図５に例示されているように、同一のＣＤ１２又はＭＤには、通常、声楽曲とそのカラオケ楽曲とが同時に含まれており、ＣＤ−ＴＥＸＴ規格の楽曲名情報として記録されているデータでは、カラオケ楽曲の楽曲名は、その先頭文字列部分を、声楽曲の楽曲名に一致させつつ、それに後続する後尾文字列部分に「（カラオケ）」等の語句を付け足している。したがって、１個のＣＤ１２から読み込んだ楽曲名情報としての複数個のデータを相互に照合し、或るデータの先頭文字列部分が、他のデータの文字列の全体と一致しているものである場合は、その或るデータに対応する楽曲をカラオケ楽曲と判定することができる。
【００２２】
図１のフローチャートでは、ＣＤ１２について説明しているが、ＭＤにおけるカラオケ楽曲検出ルーチンも同様である。
【図面の簡単な説明】
【図１】カラオケ楽曲の検出ルーチンのフローチャートである。
【図２】多連装ＣＤプレーヤの主要部のブロック図である。
【図３】ＣＤ−ＴＥＸＴ規格に定義されているジャンルコードが表わすジャンル名を示す図である。
【図４】ＣＤにＣＤ−ＴＥＸＴ規格により記録されている楽曲名を例示する図である。
【図５】ＭＤにＣＤ−ＴＥＸＴ規格により記録されている楽曲名を例示する図である。
【符号の説明】
１０    多連装ＣＤプレーヤ（光ディスク再生装置）
１２    ＣＤ
【図１】
0003571510.tif 000002
【図２】
0003571510.tif 000003
【図３】
0003571510.tif 000004
【図４】
0003571510.tif 000005
【図５】
0003571510.tif 000006